(57)【要約】【課題】折り畳んだ状態が厚くなく、さらに、水切り用のカゴとしても使用可能な折り畳み式カゴを提供する。【解決手段】折り畳み式カゴ(100)は、平面状の載置部(110)と、第一の側壁(120)と、第二の側壁(130)と、第一ストッパー手段(123)と、第二ストッパー手段(123)と、からなる。第一の側壁(120)及び第二側壁(130)は、それらの底部から所定の高さの辺において、載置部(110)に対して対向して回動自在に取り付けられている。第一ストッパー手段(123)及び第二ストッパー手段(123)は、第一の側壁(120)及び第二の側壁(130)が載置部(110)に対して所定の角度をなす位置において第一の側壁(120)及び第二の側壁(130)を停止させる。第一の側壁は(120)載置部(110)上に重ね合わせたときに、載置部(110)上に重ね合わせた第二の側壁(130)と重なり合わない大きさを有している。【選択図】図１
0003179198.tif 000002
【実用新案登録請求の範囲】
【請求項１】
第一の辺と当該第一の辺と対向する第二の辺とを有する平面状の載置部と、
第一の側壁と、
第二の側壁と、
第一ストッパー手段と、
第二ストッパー手段と、
からなる折り畳み式カゴであって、
前記第一の側壁は、当該第一の側壁の底部から所定の高さの辺において、前記載置部の前記第一の辺に対して回動自在に取り付けられており、
前記第二の側壁は、当該第二の側壁の底部から前記所定の高さの辺において、前記載置部の前記第二の辺に対して回動自在に取り付けられており、
前記第一ストッパー手段は、前記第一の側壁が前記載置部に対して所定の角度をなす位置において前記第一の側壁を停止させるものであり、
前記第二ストッパー手段は、前記第二の側壁が前記載置部に対して所定の角度をなす位置において前記第二の側壁を停止させるものである折り畳み式カゴ。
【請求項２】
第一の辺と当該第一の辺と対向する第二の辺とを有する平面状の載置部と、
第一の側壁と、
第二の側壁と、
前記第一の側壁の上下方向に延びる第一の辺と前記第一の辺と同じ側にある前記第二の側壁の上下方向に延びる第一の辺とを連結する第一側辺バーと、
前記第一の側壁の上下方向に延びる第二の辺と前記第二の辺と同じ側にある前記第二の側壁の上下方向に延びる第二の辺とを連結する第二側辺バーと、
からなる折り畳み式カゴであって、
前記第一の側壁は、当該第一の側壁の底部から所定の高さの辺において、前記載置部の前記第一の辺に対して回動自在に取り付けられており、
前記第二の側壁は、当該第二の側壁の底部から前記所定の高さの辺において、前記載置部の前記第二の辺に対して回動自在に取り付けられており、
前記第一側辺バー及び前記第二側辺バーは前記第一の側壁及び前記第二の側壁に対して回動自在に取り付けられている折り畳み式カゴ。
【請求項３】
第一ストッパー手段と第二ストッパー手段とをさらに備え、
前記第一ストッパー手段は、前記第一の側壁が前記載置部に対して所定の角度をなす位置において前記第一の側壁を停止させるものであり、
前記第二ストッパー手段は、前記第二の側壁が前記載置部に対して所定の角度をなす位置において前記第二の側壁を停止させるものであることを特徴とする請求項２に記載の折り畳み式カゴ。
【請求項４】
前記第一側辺バー及び前記第二側辺バーは、直線状に延びる第一部分と、前記第一部分と平行に延びる直線状の第二部分と、前記第一部分の一端と前記第二部分の一端とを連結する曲線状の第三部分と、前記第一部分の他端と前記第二部分の他端とを連結する曲線状の第四部分と、からなり、
前記第一の側壁及び前記第二の側壁には、第一の直径を有する第一円柱部分と、前記第一の直径より大きい第二の直径を有し、前記第一円柱部分の一端と連続して形成されている第二円柱部分とからなる側辺バー取り付け部材が取り付けられており、
前記第二円柱部分は前記第一の側壁及び前記第二の側壁の外側に位置しており、
前記第一側辺バー及び前記第二側辺バーの前記第一部分及び前記第二部分は前記第一円柱部分の周囲をスライド可能であり、
前記第二円柱部分は前記第一側辺バー及び前記第二側辺バーの前記第一部分及び前記第二部分が前記第一円柱部分から抜け出ることを防止するものである請求項２または３に記載の折り畳み式カゴ。
【請求項５】
前記第一側辺バー及び前記第二側辺バーは前記第一の側壁及び前記第二の側壁に対して着脱自在であることを特徴とする請求項２乃至４の何れか一項に記載の折り畳み式カゴ。
【請求項６】
前記第一の側壁は前記載置部上に重ね合わせたときに、前記載置部上に重ね合わせた前記第二の側壁と重なり合わない大きさを有していることを特徴とする請求項１乃至５の何れか一項に記載の折り畳み式カゴ。
【考案の詳細な説明】
【技術分野】
【０００１】
本考案は折り畳み式カゴに関する。
【背景技術】
【０００２】
折り畳み式カゴの一例として特開２０１１−１１８１８号公報に記載されたものがある。
【０００３】
図７は同公報に記載された折り畳み式カゴの斜視図、図８は折り畳み式カゴの展開図、図９は折り畳み式カゴを折り畳んだ状態を示す斜視図である。
【０００４】
図８に示すように、この折り畳み式カゴは、４枚の側板１、２、３、４と一枚の底板５とからなり、いずれもステンレス製丸棒を溶接その他の結合手段により網体に成形したものである。４枚の側板１、２、３、４と一枚の底板５とはコイルバネ１１、１２、１３、１４を介して相互に連結されている。
【０００５】
折り畳み式カゴを展開した状態（図８に示す状態）において、各側板１、２、３、４及び底板５を相互に重ね合わせることにより、図９に示すように、折り畳むことが可能である。
【０００６】
折り畳み式カゴを組み立てる場合には、側板１に設けたフック２１を側板４の縁枠であるフック係合部２２に掛け合わせる。この後、側板１、２、３、４を方形の箱体の形状に整え、底板５を落とし込み、図７に示すような折り畳み式カゴが成形される。
【考案の開示】
【考案が解決しようとする課題】
【０００７】
この折り畳み式カゴは図９に示すように折り畳んだ状態においては、側板１、２、３、４及び底板５の計５枚分の板の厚さを有するものとなっている。
【０００８】
このため、折り畳み式カゴの非使用時に、折り畳んだ状態の折り畳み式カゴを収納するスペースが大きなものにならざるを得ないという問題点があった。
【０００９】
さらに、従来の折り畳み式カゴは、図７に示すように、底面が地上に接しているため、例えば、水洗いした食器の水切り用カゴとして使用することは不可能であった。
【００１０】
本考案はこのような従来の折り畳み式カゴにおける問題点に鑑みてなされたものであり、折り畳んだ状態であっても大きな収納スペースを必要とせず、さらに、水切り用のカゴとしても使用することができる折り畳み式カゴを提供することを目的とする。
【課題を解決するための手段】
【００１１】
上記の目的を達成するため、本考案は、第一の辺と当該第一の辺と対向する第二の辺とを有する平面状の載置部と、第一の側壁と、第二の側壁と、第一ストッパー手段と、第二ストッパー手段と、からなる折り畳み式カゴであって、前記第一の側壁は、当該第一の側壁の底部から所定の高さの辺において、前記載置部の前記第一の辺に対して回動自在に取り付けられており、前記第二の側壁は、当該第二の側壁の底部から前記所定の高さの辺において、前記載置部の前記第二の辺に対して回動自在に取り付けられており、前記第一ストッパー手段は、前記第一の側壁が前記載置部に対して所定の角度をなす位置において前記第一の側壁を停止させるものであり、前記第二ストッパー手段は、前記第二の側壁が前記載置部に対して所定の角度をなす位置において前記第二の側壁を停止させるものである折り畳み式カゴを提供する。
【００１２】
さらに、本考案は、第一の辺と当該第一の辺と対向する第二の辺とを有する平面状の載置部と、第一の側壁と、第二の側壁と、前記第一の側壁の上下方向に延びる第一の辺と前記第一の辺と同じ側にある前記第二の側壁の上下方向に延びる第一の辺とを連結する第一側辺バーと、前記第一の側壁の上下方向に延びる第二の辺と前記第二の辺と同じ側にある前記第二の側壁の上下方向に延びる第二の辺とを連結する第二側辺バーと、からなる折り畳み式カゴであって、前記第一の側壁は、当該第一の側壁の底部から所定の高さの辺において、前記載置部の前記第一の辺に対して回動自在に取り付けられており、前記第二の側壁は、当該第二の側壁の底部から前記所定の高さの辺において、前記載置部の前記第二の辺に対して回動自在に取り付けられており、前記第一側辺バー及び前記第二側辺バーは前記第一の側壁及び前記第二の側壁に対して回動自在に取り付けられている折り畳み式カゴを提供する。
【００１３】
本考案に係る折り畳み式カゴは第一ストッパー手段と第二ストッパー手段とをさらに備えるものであることが好ましい。前記第一ストッパー手段は、前記第一の側壁が前記載置部に対して所定の角度をなす位置において前記第一の側壁を停止させるものであり、前記第二ストッパー手段は、前記第二の側壁が前記載置部に対して所定の角度をなす位置において前記第二の側壁を停止させるものである。
【００１４】
前記第一側辺バー及び前記第二側辺バーは、直線状に延びる第一部分と、前記第一部分と平行に延びる直線状の第二部分と、前記第一部分の一端と前記第二部分の一端とを連結する曲線状の第三部分と、前記第一部分の他端と前記第二部分の他端とを連結する曲線状の第四部分と、からなり、前記第一の側壁及び前記第二の側壁には、第一の直径を有する第一円柱部分と、前記第一の直径より大きい第二の直径を有し、前記第一円柱部分の一端と連続して形成されている第二円柱部分とからなる側辺バー取り付け部材が取り付けられており、前記第二円柱部分は前記第一の側壁及び前記第二の側壁の外側に位置しており、前記第一側辺バー及び前記第二側辺バーの前記第一部分及び前記第二部分は前記第一円柱部分の周囲をスライド可能であり、前記第二円柱部分は前記第一側辺バー及び前記第二側辺バーの前記第一部分及び前記第二部分が前記第一円柱部分から抜け出ることを防止するものであることが好ましい。
【００１５】
前記第一側辺バー及び前記第二側辺バーは前記第一の側壁及び前記第二の側壁に対して着脱自在であることが好ましい。
【００１６】
前記第一の側壁は前記載置部上に重ね合わせたときに、前記載置部上に重ね合わせた前記第二の側壁と重なり合わない大きさを有していることが好ましい。
【考案の効果】
【００１７】
本考案に係る折り畳み式カゴによれば、次の効果を得ることができる。
【００１８】
第一に、本考案に係る折り畳み式カゴにおいては、載置部は地上から所定の高さに浮かせた状態に維持される。このため、従来の折り畳み式カゴとは異なり、載置部上に濡れた食器などを置くことにより、本考案に係る折り畳み式カゴを水切り用のカゴとして使用することができる。
【００１９】
第二に、第一の側壁及び第二の側壁を載置部上に折り畳んだ場合であっても、第一の側壁及び第二の側壁は相互に重なり合わないので、全体として、載置部の厚みと第一の側壁または第二の側壁の厚みとの和以上の厚さになることはなく、このため、従来の折り畳み式カゴとは異なり、折り畳み式カゴを折り畳んだ状態であっても大きな収納スペースを必要としない。
【図面の簡単な説明】
【００２０】
【図１】本考案の第一の実施形態に係る折り畳み式カゴの一部を省略した側面図である。
【図２】本考案の第一の実施形態に係る折り畳み式カゴにおける第一の側壁（第二の側壁）の正面図である。
【図３】本考案の第一の実施形態に係る折り畳み式カゴにおいて、第一の側壁及び第二の側壁を載置部上に折り畳んだ状態を示す側面図である。
【図４】本考案の第二の実施形態に係る折り畳み式カゴの一部を省略した側面図である。
【図５】本考案の第二の実施形態に係る折り畳み式カゴにおける第一の側壁（第二の側壁）の正面図である。
【図６】本考案の第二の実施形態に係る折り畳み式カゴにおいて、第一の側壁及び第二の側壁を載置部上に折り畳んだ状態を示す側面図である。
【図７】従来の折り畳み式カゴの斜視図である。
【図８】図７に示した従来の折り畳み式カゴの展開図である。
【図９】図７に示した従来の折り畳み式カゴを折り畳んだ状態を示す斜視図である。
【考案を実施するための最良の形態】
【００２１】
（第一の実施形態）
図１は本考案の第一の実施形態に係る折り畳み式カゴ１００の一部を省略した側面図である。
【００２２】
本実施形態に係る折り畳み式カゴ１００は、平板状の載置部１１０と、第一の側壁１２０と、第二の側壁１３０と、から構成されている。
【００２３】
第一の側壁１２０と第二の側壁１３０は同一の構造を有しており、左右対称に配置されている。
【００２４】
図２は第一の側壁１２０（第二の側壁１３０）の正面図である。
【００２５】
第一の側壁１２０は丸棒状の金属を加工することにより形成されている。図２に示すように、第一の側壁１２０は、長方形状の外枠１２１と、外枠１２１の下辺から所定の高さの位置において外枠１２１の両短辺に跨がって外枠１２１の長辺に平行に取り付けられた第一部材１２２と、第一部材１２２の下方において、外枠１２１の両短辺に跨がって外枠１２１の長辺に平行に取り付けられた第二部材１２３と、第一部材１２２の上方において、外枠１２１の両短辺に跨がって外枠１２１の長辺に平行に取り付けられた二つの第三部材１２４Ａ、１２４Ｂと、から構成されている。
【００２６】
後述するように、第一部材１２２を介して第一の側壁１２０と載置部１１０とが回動自在に連結され、第二部材１２３は第一の側壁１２０の回動範囲を制限する第一ストッパー手段として機能する。
【００２７】
二つの第三部材１２４Ａ、１２４Ｂは外枠１２１の変形に対する強度を高めるための補助部材である。
【００２８】
載置部１１０は、同一の構造を有する二つの側辺部１１１と、側辺部１１１の間に掛け渡された複数個の棒材１１２と、から構成されている。
【００２９】
図１に示すように、側辺部１１１は、上下方向に間隔を空けて相互に平行に配置されている二つの棒材１１３、１１４とから構成されており、上方に位置する棒材１１３はその両端においてリング１１５を構成して下方の棒材１１４と結合している。
【００３０】
二つの側辺部１１１は、図１の紙面と直交する方向において隔置されており、複数個の棒材１１２は各側辺部１１１の二つの棒材１１３、１１４の間に挟まれた状態において二つの側辺部１１１の間に掛け渡されている。
【００３１】
載置部１１０は、上方から見て、平板状をなしている。
【００３２】
図１に示すように、第一の側壁１２０は、第一の側壁１２０の第一部材１２２が各側辺部１１１のリング１１５の内部に位置するように、載置部１１０の左辺に対して連結されている。リング１１５の内径は第一部材１２２の外径よりも大きいため、第一部材１２２はリング１１５の内部において、自在に回動可能である。このため、第一の側壁１２０は載置部１１０の左辺に対して第一部材１２２を中心として時計方向Ａ及び反時計方向Ｂに回動可能である。
【００３３】
第二の側壁１３０も、第一の側壁１２０と同様に、載置部１１０の右辺に対して第一部材１２２を中心として回動可能である。
【００３４】
第一の側壁１２０に設けられている第二部材１２３は、第一の側壁１２０が載置部１１０に対して回動する場合のストッパー手段として機能する。
【００３５】
すなわち、第二部材１２３は、第一の側壁１２０が載置部１１０に対して反時計方向Ｂに回動する場合、第一の側壁１２０が所定の角度まで回動すると、側辺部１１１の下方に位置する棒材１１４に当接する（図１に示す状態）。このため、第一の側壁１２０は、それ以上、反時計方向Ｂに回動することが不可能となる。
【００３６】
この結果、第一の側壁１２０及び第二の側壁１３０は載置部１１０に対して図１に示す角度において安定的に静止することになり、載置部１１０は地上から所定の高さの位置において静止する。このため、載置部１１０上に物を置くことが可能になる。
【００３７】
第一の側壁１２０及び第二の側壁１３０は、図１に示す状態から、それぞれ時計方向Ａ及び反時計方向Ｂに回動させることにより、載置部１１０上に折り畳むことが可能である。
【００３８】
図３は第一の側壁１２０及び第二の側壁１３０を載置部１１０上に折り畳んだ状態を示す側面図である。
【００３９】
図３に示すように、第一の側壁１２０及び第二の側壁１３０は、載置部１１０上にそれらを折り畳んだ場合に、相互に重なり合わない大きさに設定されている。
【００４０】
以上のように、本実施形態に係る折り畳み式カゴ１００によれば、次の効果を得ることができる。
【００４１】
第一に、載置部１１０を地上から所定の高さに浮かせた状態に維持することが可能である。このため、載置部１１０上に濡れた食器などを置くことにより、食器の水切りを行うことができる。
【００４２】
第二に、第一の側壁１２０及び第二の側壁１３０を載置部１１０上に折り畳んだ場合であっても、第一の側壁１２０及び第二の側壁１３０は相互に重なり合わないので、全体として、載置部１１０の厚みと第一の側壁１２０または第二の側壁１３０の厚みとの和以上の厚さになることはなく、折り畳み式カゴ１００を折り畳んだ状態であっても大きな収納スペースを必要としない。
【００４３】
本実施形態に係る折り畳み式カゴ１００は上記の構造に限定されるものではなく、種々の改変が可能である。
【００４４】
本実施形態における第一の側壁１２０及び第二の側壁１３０は何れもネット状のものとして構成されているが、ネット状に限定されるものではなく、例えば、板状のものとして構成することも可能である。同様に、載置部１１０もネット状のものに構成することは必ずしも必要ではなく、必要に応じて、板状その他の形状に形成することが可能である。
【００４５】
本実施形態に係る折り畳み式カゴ１００においては、第一部材１２２は外枠１２１の両短辺に跨がる部材として形成されているが、側辺部１１１と係合し得る範囲において、外枠１２１の両短辺の各々に取り付けられた短い棒その他の凸状体として形成することも可能である。
【００４６】
同様に、第二部材１２３も外枠１２１の両短辺に跨がる部材として形成することは必ずしも必要ではなく、側辺部１１１の下方の棒材１１４と係合し得る範囲において、外枠１２１の両短辺の各々に取り付けられた短い棒その他の凸状体として形成することも可能である。
【００４７】
また、本実施形態に係る折り畳み式カゴ１００においては、第一の側壁１２０及び第二の側壁１３０は載置部１１０に対して、第一部材１２２及びリング１１５を介して、回動自在に結合されているが、第一部材１２２及びリング１１５以外の構造を用いて、回動自在に結合することも可能である。
【００４８】
本実施形態に係る折り畳み式カゴ１００においては、第一ストッパー手段として機能する第二部材１２３は第一の側壁１２０及び第二の側壁１３０に取り付けられているが、第一の側壁１２０及び第二の側壁１３０に代えて、側辺部１１１を構成する二つの棒材１１３、１１４のうちの下方の棒材１１４の底面側に取り付けることも可能である。第一の側壁１２０及び第二の側壁１３０は、棒材１１４の底面側に取り付けられた第二部材１２３に当接することにより、それ以上の回動を阻止される。
【００４９】
（第二の実施形態）
図４は本考案の第二の実施形態に係る折り畳み式カゴ２００の一部を省略した側面図である。
【００５０】
本実施形態に係る折り畳み式カゴ２００は、第一の実施形態に係る折り畳み式カゴ１００と比較して、第一側辺バー２１０及び第二側辺バー２２０（図４においては、第一側辺バー２１０のみを図示）と４個の側辺バー取り付け部材２３０とを追加的に備えるとともに、第一の実施形態におけるストッパー手段としての第二部材１２３を備えていない。これらの点を除いて本実施形態に係る折り畳み式カゴ２００は第一の実施形態に係る折り畳み式カゴ１００と同一の構造を有している。
【００５１】
第一側辺バー２１０は、第一の側壁１２０の上下方向に延びる第一の辺（図４に示す上下方向の辺）と第一の側壁１２０の第一の辺と同じ側にある第二の側壁１３０の上下方向に延びる第一の辺（図４に示す上下方向の辺）とを連結する。同様に、第二側辺バー２２０は、第一の側壁１２０の上下方向に延びる第二の辺（図４においては、第一の辺と重なり合っている）とこの第二の辺と同じ側にある第二の側壁１３０の上下方向に延びる第二の辺（図４においては、第一の辺と重なり合っている）とを連結する。
【００５２】
第一側辺バー２１０及び第二側辺バー２２０の各々は、直線状に延びる第一部分２１０Ａと、第一部分２１０Ａと平行に延びる直線状の第二部分２１０Ｂと、第一部分２１０Ａの一端と第二部分２１０Ｂの一端とを連結する曲線状の第三部分２１０Ｃと、第一部分２１０Ａの他端と第二部分２１０Ｂの他端とを連結する曲線状の第四部分２１０Ｄと、からなる。
【００５３】
すなわち、第一側辺バー２１０及び第二側辺バー２２０の各々は横に長い長円形状をなしている。
【００５４】
第一の側壁１２０の第一の辺及び第二の辺並びに第二の側壁１３０の第一の辺及び第二の辺にはそれぞれ側辺バー取り付け部材２３０（計四個）が取り付けられている。
【００５５】
図５は本実施形態における第一の側壁１２０（第二の側壁１３０）の正面図である。
【００５６】
図４及び図５に示すように、側辺バー取り付け部材２３０の各々は、第一の直径を有する第一円柱部分２３０Ａと、第一円柱部分２３０Ａの第一の直径より大きい第二の直径を有し、第一円柱部分２３０Ａの一端と連続して形成されている第二円柱部分２３０Ｂとからなる。
【００５７】
各側辺バー取り付け部材２３０は、第二円柱部分２３０Ｂが第一の側壁１２０及び第二の側壁１３０の第一の辺及び第二の辺の外側に位置するように、第一円柱部分２３０Ａにおいて第一の側壁１２０及び第二の側壁１３０の第一の辺及び第二の辺に、例えば、溶接により、取り付けられている。
【００５８】
各側辺バー取り付け部材２３０の第一円柱部分２３０Ａの第一の直径は、第一側辺バー２１０及び第二側辺バー２２０の第一部分２１０Ａと第二部分２１０Ｂとの間の距離と等しいか、または、やや小さく設定されている。このため、第一側辺バー２１０及び第二側辺バー２２０を第一の側壁１２０の側辺バー取り付け部材２３０と第二の側壁１３０の側辺バー取り付け部材２３０との間に掛け渡すことが可能である。
【００５９】
これにより、第一側辺バー２１０及び第二側辺バー２２０の第一部分２１０Ａ及び第二部分２１０Ｂは側辺バー取り付け部材２３０の第一円柱部分２３０Ａの周囲をスライドすることが可能であり、ひいては、第一側辺バー２１０及び第二側辺バー２２０は第一の側壁１２０及び第二の側壁１３０に対して回動自在に取り付けられていることになる。
【００６０】
第二円柱部分２３０Ｂは第一円柱部分２３０Ａの第一の直径よりも大きい第二の直径を有しているため、第一側辺バー２１０及び第二側辺バー２２０が各側辺バー取り付け部材２３０から抜け出ることはない。
【００６１】
図６は、本実施形態に係る折り畳み式カゴ２００において、第一の側壁１２０及び第二の側壁１３０を載置部１１０上に折り畳んだ状態を示す側面図である。
【００６２】
本実施形態に係る折り畳み式カゴ２００は第一の実施形態に係る折り畳み式カゴ１００と同様と動作するとともに、本実施形態に係る折り畳み式カゴ２００によっても、第一の実施形態に係る折り畳み式カゴ１００と同様の効果を得ることができる。
【００６３】
本実施形態に係る折り畳み式カゴ２００においては、第一側辺バー２１０及び第二側辺バー２２０の各々の第三部分２１０Ｃ及び第四部分２１０Ｄが各側辺バー取り付け部材２３０の第一円柱部分２３０Ａに当接することにより、第一の側壁１２０及び第二の側壁１３０がそれ以上回動することを防止するストッパー手段として機能するため、第一の実施形態におけるストッパー手段としての第二部材１２３を設ける必要はない。ただし、必要に応じて、本実施形態に係る折り畳み式カゴ２００に第二部材１２３を設けることは可能である。
【００６４】
第一側辺バー２１０及び第二側辺バー２２０の各々は細い丸棒により形成されている。このため、ある程度の弾性を有しており、ある程度撓ませることが可能である。第一側辺バー２１０及び第二側辺バー２２０を、例えば、上下方向に撓ませ、各側辺バー取り付け部材２３０の第二円柱部分２３０Ｂを乗り越えることにより、第一側辺バー２１０及び第二側辺バー２２０を各側辺バー取り付け部材２３０に取り付けることが可能であり、あるいは、その逆に、第一側辺バー２１０及び第二側辺バー２２０を、例えば、上下方向に撓ませ、各側辺バー取り付け部材２３０の第二円柱部分２３０Ｂを乗り越えることにより、第一側辺バー２１０及び第二側辺バー２２０を各側辺バー取り付け部材２３０から取り外すことが可能である。
【００６５】
すなわち、第一側辺バー２１０及び第二側辺バー２２０は第一の側壁１２０及び第二の側壁１３０に対して着脱自在である。
【符号の説明】
【００６６】
１００  本考案の第一の実施形態に係る折り畳み式カゴ
１１０  載置部
１２０  第一の側壁
１３０  第二の側壁
２００  本考案の第二の実施形態に係る折り畳み式カゴ
２１０  第一側辺バー
２２０  第二側辺バー
２３０  側辺バー取り付け部材
【図１】
0003179198.tif 000003
【図２】
0003179198.tif 000004
【図３】
0003179198.tif 000005
【図４】
0003179198.tif 000006
【図５】
0003179198.tif 000007
【図６】
0003179198.tif 000008
【図７】
0003179198.tif 000009
【図８】
0003179198.tif 000010
【図９】
0003179198.tif 000011